(57)【要約】【課題】従来のＰＴＰ包装においては、円形や台形に形成されたポケットの周囲が固いために、弱い指先の力では容易に押し潰せないと云う問題と、錠剤を取り出す過程にアルミシ−トも同時に落下してしまうと云う欠点とがあったものである。【解決手段】ポケットの形態を矩形に形成して、該矩形ポケット１の中央部に錠剤ｔの円周部を接点ｐ，ｐとし、その左右に空間２，２を備えてなだらかなカ−ブ３面を設ける。また、ポケットの形態を楕円形に形成された楕円ポケット１’の短径の中央部に錠剤ｔ’の円周部を接点ｐ’，ｐ’として挿入した両側に三日月形の空間２’，２’を備えるなだらかなカ−フ３’面を設けたＰＴＰ包装である。【選択図】図１
2011078500.tif 000002
【特許請求の範囲】
【請求項１】
ＰＴＰ包装におけるアルミシ−トｓ上に形成される透明な樹脂によるポケット１の形態
を、長形と短形の比を２対１に形成した矩形ポケット１にして、該矩形ポケット１の中央
部ｃに円周の等分点を接点Ｐ，Ｐとする錠剤ｔを挿入し、該錠剤ｔを入れた前記矩形ポケ
ット１の長形側の両側に空間２，２を設けるなだらかなカ−ブ３面を有したことを特徴と
するＰＴＰ包装。
【請求項２】
ＰＴＰ包装におけるアルミシ−トｓ上に形成される透明な樹脂によるポケット１の形態
を、長径と短径とを直交させた楕円形に形成した楕円ポケット１’の中央部ｃに円周の等
分点を接点ｐ’，ｐ’とする錠剤ｔ’を挿入し、該錠剤ｔ’を入れた前記楕円ポケット１
’の両側に三日月形の空間２’，２’を設けるなだらかなカ−ブ３’面を有したことを特
徴とする請求項１記載のＰＴＰ包装。
【発明の詳細な説明】
【技術分野】
【０００１】
本発明は、様々な錠剤等を密封・配列したＰＴＰ包装の改良に関するものである。
【背景技術】
【０００２】
従来、様々な形態に形成された錠剤類は、透明な樹脂フイルムを浅い円筒形や台形等に
成型させたポケット（ボシム）下に、アルミ箔のシ−ト（リット）を密封・配列したＰＴ
Ｐ包装 (Push through Package) がある。
【０００３】
また、ポリ塩化ビニル層とポリ塩化ビニリデン層とコ−ティング層との３層からなるＰ
ＴＰ包装用多層シ−トのコ−イィング層が、ウレタン樹脂を配合したエチルセルロ−ズ樹
脂を用い成型後ポケットが金型から抜ける時に金型エッジ部とポケット部分の擦れによる
磨耗粉の発生がないことを特徴とするＰＴＰ包装用多層シ−トがある。
【０００４】
そして、前記ＰＴＰ包装におけるポケットの形態は、浅い円筒形や台形等に形成されて
いて、そのポケット内の錠剤を取り出す際には、前記ポケットを利き手の親指で押し潰す
ような仕種で取り出していたものである。
【先行技術文献】
【特許文献】
【０００５】
【特許文献１】特願２００５−２９２０５号
【発明の概要】
【発明が解決しようとする課題】
【０００６】
以上のように、従来のＰＴＰ包装におけるポケットの構成形態は、浅い円筒形や台形に
構成されていたから、ポケットの周囲が固すぎるので、手指等に障害のある人や高齢者に
は、容易に押し潰せないと云う欠点と、包装シ−ト下のアルミシ−トも同時に落下するこ
とがあると云う問題等あったものである。
【０００７】
本発明は、そうした従来のＰＴＰ包装における押し潰し難いポケットの形態を、円形の
錠剤における円周の等分点となる２ヵ所を重点的に抑えるような形態の矩形、又は、楕円
形のポケットに改めたＰＴＰ包装を提供することを目的としたものである。
【課題を解決するための手段】
【０００８】
そして、上記、２ヵ所を重点的に抑えるための第１の手段は、ＰＴＰ包装におけるアル
ミシ−ト（ｓ）上の透明な樹脂により成型されるポケット（１）の形態を、縦横の比を１
対２とする矩形に形成して、該矩形ポケット（１）の中央部（ｃ）に錠剤（ｔ）を入れ、
該錠剤（ｔ）の左右に押し易い空間（２，２）を備え、前記形態上をなだらかなカ−フ面
（３）に形成させたＰＴＰ包装である。
【０００９】
また、上記、２ヵ所を重点的に抑えるための第２の手段は、ＰＴＰ包装におけるアルミ
シ−ト（ｓ）上の透明な樹脂により成型されるポケット（１’）の形態を、長径と短径と
を直交させた楕円形に形成して、該楕円ポケット（１’）の中央部（ｃ）錠剤（ｔ）を入
れ、該錠剤（ｔ’）の左右に押し易い三日月形の空間（２’，２’）を備え、前記形態上
をなだらかなカ−プ面（３’）に形成させたＰＴＰ包装である。
【００１０】
本発明は上記のように、円形の錠剤の２ヵ所を重点的に抑える矩形ポケット（１）と、
楕円ポケット（１’）とに形成したから、両者のポケット（１，１’）内の錠剤（ｔ，ｔ
’）の接点（ｐ，ｐ，ｐ’，ｐ’）は夫々２ヵ所になるので、押し潰す箇所が最小限の２
ヵ所に限定されるようになることから、弱い指先の力でも容易に押し潰せるようになる。
【発明の効果】
【００１１】
上記のように、当該ＰＴＰ包装におけるポケットの形態を矩形ポケット（１）、または
、楕円ポケット（１’）に改めたことによってポケットを潰し易いようにしたから、手や
指先等に障害のある人や、惚け気味の高齢者においても至便を究めれるばかりでなく、日
々、薬便りにしている人々は勿論、家庭において看病する人や、病院や医療機関、擁護施
設等々において看護に当たる人達も錠剤（ｔ，ｔ’）の取り出しが容易になると云う効果
を奏する。
【図面の簡単な説明】
【００１２】
【図１】本発明のＰＴＰ包装における第１の実施例を示す部分平面図である。
【図２】そのＡ−Ａ断面図である。ふ
【図３】第２の実施例を示す部分平面図である。
【図４】そのＢ−Ｂ断面図である。
【発明を実施するための形態】
【００１３】
以下、本発明の実施例１を図１〜４に基づいて説明すると、図において、１はＰＴＰ包
装におけるアルミシ−ト上の透明な樹脂シ−トｓ面に成型された矩形ポケット、２，２は
前記矩形ポケット１内の錠剤ｔの両側に設けられた空間、３は前記錠剤ｔと空間２，２上
に設けられた押し出し面になるなだらかなカ−ブ面である。
【００１４】
また、実施例２における１’はＰＴＰ包装におけるアルミシ−ト上の透明な樹脂シ−ト
ｓ面に成型された楕円ポケット、２’，２’は前記楕円ポケット１’内の錠剤ｔ’の両側
に設けられた三日月形の空間、３’は前記錠剤ｔ’と三日月形の空間２’，２’上に設け
られた押し出し面になるなだらかなカ−ブ面である。
【００１５】
そして、当該ＰＴＰ包装における錠剤ｔ，ｔ’の取り出し方は、従来のように利き手の
人差し指と中指とでＶ字型にした受け部を構え、そのＶ字型に構えた指先面に、他方側の
手に持った前記ＰＴＰ包装における当該ポケット１，１’面下を当てたら、前記ポケット
のなだらかなカ−ブ面３を親指ｔ”面で押し潰すようにすると、この時点において、当該
ポケット１，１”中の錠剤ｔ，ｔ’は、２ヵ所を重点的に抑える仕組みの接点Ｐ，Ｐ’か
ら押し易い空間２，２’帯を経る状態に押されるために、前記錠剤ｔ，ｔ’下のアルミシ
−トｓから先に破れだして錠剤ｔ，ｔ’は簡単に取り出せるようになると同時に、包装下
のアルミシ−トｓの一方側は当該ポケット１，１’の長手側下に垂れ下がるようになるの
で、一緒に飲み込むような不覚は防止されると云う特徴を有したＰＴＰ包装である。
【符号の説明】
【００１６】
１＝矩形ポケット（実施例１）
１’＝楕円ポケット（実施例２）
２＝空間（実施例１）
２’＝三日月形空間（実施例２）
３，３’＝なだらかなカ−ブ面
ｐ＝接点
ｓ＝アルミシ−ト
ｔ＝錠剤
ｔ’＝錠剤
【図１】
2011078500.tif 000003
【図２】
2011078500.tif 000004
【図３】
2011078500.tif 000005
【図４】
2011078500.tif 000006